(57)【要約】【課題】液晶表示装置において、反射モードでの使用時と透過モードでの使用時とでそれぞれ最適な表示画像の画質を得る。【解決手段】透過反射兼用型液晶パネル４と、該透過反射兼用型液晶パネル４の背面に配置されたバックライト５とを備えた液晶表示装置において、前記バックライト５を点灯する透過モード時と該バックライト５を消灯する反射モード時とで前記透過反射兼用型液晶パネル４に供給する映像信号の特性を変更するように制御する。【選択図】        図１
2004191541.tif 000002
【特許請求の範囲】
【請求項１】
透過反射兼用型液晶パネルと、該透過反射兼用型液晶パネルの背面に配置された光源と、該光源を点灯する透過モード時と該光源を消灯する反射モード時とで前記透過反射兼用型液晶パネルに供給する映像信号の特性を変更するように制御する制御手段とを備えたことを特徴とする液晶表示装置。
【請求項２】
透過反射兼用型液晶パネルと、該透過反射兼用型液晶パネルの背面に配置された光源とを備えた液晶表示装置の制御方法であって、
前記光源を点灯する透過モード時と該光源を消灯する反射モード時とで前記透過反射兼用型液晶パネルに供給する映像信号の特性を変更するように制御することを特徴とする液晶表示装置の制御方法。
【請求項３】
透過反射兼用型液晶パネルと、該透過反射兼用型液晶パネルの背面に配置された光源と、該光源の点灯／消灯を制御する光源制御手段と、前記透過反射兼用型液晶パネルに供給する映像信号の振幅特性を予め決めた設定値に設定する映像信号処理回路と、前記設定値を複数記憶する記憶媒体と、該記憶媒体に記憶された複数の設定値から任意の設定値を選択し前記映像信号処理回路に供給する画質制御手段とを備えたことを特徴とする液晶表示装置。
【請求項４】
透過反射兼用型液晶パネルと、該透過反射兼用型液晶パネルの背面に配置された光源と、該光源の点灯／消灯を制御する光源制御手段と、透過反射兼用型液晶パネルに供給する映像信号の振幅特性を予め決めた設定値に設定する映像信号処理回路と、該映像信号振幅特性の設定値を複数記憶する記憶媒体と、該記憶媒体に記憶された複数の設定値から任意の設定値を選択し前記映像信号処理回路に供給する画質制御手段とからなる液晶表示装置の制御方法であって、
光源点灯時には第一の振幅特性の映像信号を前記透過反射兼用型液晶パネルに供給するように前記画質制御手段を制御し、光源消灯時には第二の振幅特性の映像信号を前記透過反射兼用型液晶パネルに供給するように前記画質制御手段を制御することを特徴とする液晶表示装置の制御方法。
【請求項５】
透過型液晶パネルと、該透過型液晶パネルの背面に配置された光源と、該光源の点灯／消灯を制御する光源制御手段と、前記透過型液晶パネルに供給する映像信号の振幅特性を予め決めた設定値に設定する映像信号処理回路と、前記設定値を複数記憶する記憶媒体と、該記憶媒体に記憶された複数の設定値から任意の設定値を選択し前記映像信号処理回路に供給する画質制御手段とを備えたことを特徴とする液晶表示装置。
【請求項６】
透過型液晶パネルと、該透過型液晶パネルの背面に配置された光源と、該光源の点灯／消灯を制御する光源制御手段と、透過型液晶パネルに供給する映像信号の振幅特性を予め決めた設定値に設定する映像信号処理回路と、該映像信号振幅特性の設定値を複数記憶する記憶媒体と、該記憶媒体に記憶された複数の設定値から任意の設定値を選択し前記映像信号処理回路に供給する画質制御手段とからなる液晶表示装置の制御方法であって、
前記光源点灯時には第一の振幅特性の映像信号を前記透過型液晶パネルに供給するように前記画質制御手段を制御し、前記光源消灯時には第二の振幅特性の映像信号を前記透過型液晶パネルに供給するように前記画質制御手段を制御することを特徴とする液晶表示装置の制御方法。
【発明の詳細な説明】
【０００１】
【発明の属する技術分野】
本発明は、カメラ一体型ＶＴＲ等に用いられる液晶表示装置およびその制御方法に関し、特にその表示画像の画質の改善に関するものである。
【０００２】
【従来の技術】
従来、カメラ一体型ＶＴＲ等に用いられる液晶表示装置は、透過型液晶表示パネルとバックライトユニットからなり、透過型液晶表示パネルの裏面からバックライトユニットが白色光を照射し、該液晶表示パネルの表面に透過画像を表示するように構成されている。したがって、このような液晶表示装置の表示画像の鮮やかさは、バックライトユニットの発光輝度に大きく影響される。また、バックライトユニットの発光輝度は、その消費電力にほぼ比例する。そのため、用途に応じてバックライトの発光輝度を変えることによって、見栄えを重視した明るめの設定や、消費電力を抑えた暗めの設定などを行っている。しかしこのように構成された透過型液晶表示装置ではバックライトからの透過光を用いて画像を表示しているが故に、晴天の屋外での使用時等外光が液晶表示面の明るさよりも明るいときには、いくらバックライトを明るくしても表示画像が黒くつぶれてしまい見辛いという問題があった。
【０００３】
このような問題を改善するため、透過反射兼用型液晶表示パネルを使用したりバックライト部で外光を反射させる等の手法により液晶表示装置を構成し、外光が十分に明るいときにはバックライトを消灯し外光を利用して画像を表示させ、外光が暗いときにはバックライトを点灯し通常の透過型液晶パネルとして使用する反射透過兼用型の液晶表示装置が実用化されつつある。
【０００４】
【発明が解決しようとする課題】
しかしながら、前述のような反射透過兼用型の液晶表示装置においては、反射モードで使用時と透過モードで使用時とでは光源および画像の表示方法が異なるが故に表示画像の画質が大きく異なるという問題点があった。
【０００５】
本発明は、このような状況のもとでなされたもので、液晶表示装置において、反射モードでの使用時と透過モードでの使用時とでそれぞれ最適な表示画像の画質を得ることを課題とするものである。
【０００６】
【課題を解決するための手段】
前記課題を解決するため、本発明では、液晶表示パネルに供給する映像信号の特性を表示モードに応じて変えています。
【０００７】
詳しくは、液晶表示装置を次の（１），（３），（５），（７）のとおりに構成し、液晶表示装置の制御方法を次の（２），（４），（６），（８）のとおりに構成する。
【０００８】
（１）透過反射兼用型液晶パネルと、該透過反射兼用型液晶パネルの背面に配置された光源と、該光源を点灯する透過モード時と該光源を消灯する反射モード時とで前記透過反射兼用型液晶パネルに供給する映像信号の特性を変更するように制御する制御手段とを備えたことを特徴とする液晶表示装置。
【０００９】
（２）透過反射兼用型液晶パネルと、該透過反射兼用型液晶パネルの背面に配置された光源とを備えた液晶表示装置の制御方法であって、
前記光源を点灯する透過モード時と該光源を消灯する反射モード時とで前記透過反射兼用型液晶パネルに供給する映像信号の特性を変更するように制御することを特徴とする液晶表示装置の制御方法。
【００１０】
（３）透過反射兼用型液晶パネルと、該透過反射兼用型液晶パネルの背面に配置された光源と、該光源の点灯／消灯を制御する光源制御手段と、前記透過反射兼用型液晶パネルに供給する映像信号の振幅特性を予め決めた設定値に設定する映像信号処理回路と、前記設定値を複数記憶する記憶媒体と、該記憶媒体に記憶された複数の設定値から任意の設定値を選択し前記映像信号処理回路に供給する画質制御手段とを備えたことを特徴とする液晶表示装置。
【００１１】
（４）透過反射兼用型液晶パネルと、該透過反射兼用型液晶パネルの背面に配置された光源と、該光源の点灯／消灯を制御する光源制御手段と、透過反射兼用型液晶パネルに供給する映像信号の振幅特性を予め決めた設定値に設定する映像信号処理回路と、該映像信号振幅特性の設定値を複数記憶する記憶媒体と、該記憶媒体に記憶された複数の設定値から任意の設定値を選択し前記映像信号処理回路に供給する画質制御手段とからなる液晶表示装置の制御方法であって、
光源点灯時には第一の振幅特性の映像信号を前記透過反射兼用型液晶パネルに供給するように前記画質制御手段を制御し、光源消灯時には第二の振幅特性の映像信号を前記透過反射兼用型液晶パネルに供給するように前記画質制御手段を制御することを特徴とする液晶表示装置の制御方法。
【００１２】
（５）透過型液晶パネルと、該透過型液晶パネルの背面に配置された光源と、該光源の点灯／消灯を制御する光源制御手段と、前記透過型液晶パネルに供給する映像信号の振幅特性を予め決めた設定値に設定する映像信号処理回路と、前記設定値を複数記憶する記憶媒体と、該記憶媒体に記憶された複数の設定値から任意の設定値を選択し前記映像信号処理回路に供給する画質制御手段とを備えたことを特徴とする液晶表示装置。
【００１３】
（６）透過型液晶パネルと、該透過型液晶パネルの背面に配置された光源と、該光源の点灯／消灯を制御する光源制御手段と、透過型液晶パネルに供給する映像信号の振幅特性を予め決めた設定値に設定する映像信号処理回路と、該映像信号振幅特性の設定値を複数記憶する記憶媒体と、該記憶媒体に記憶された複数の設定値から任意の設定値を選択し前記映像信号処理回路に供給する画質制御手段とからなる液晶表示装置の制御方法であって、
前記光源点灯時には第一の振幅特性の映像信号を前記透過型液晶パネルに供給するように前記画質制御手段を制御し、前記光源消灯時には第二の振幅特性の映像信号を前記透過型液晶パネルに供給するように前記画質制御手段を制御することを特徴とする液晶表示装置の制御方法。
【００１４】
（７）前記（３）または（５）記載の液晶表示装置において、
前記映像信号の振幅特性は、ブライト、コントラスト、ガンマ特性および液晶表示パネルに供給する複数の映像信号間の振幅比であることを特徴とする液晶表示装置。
【００１５】
（８）前記（４）または（６）記載の液晶表示装置の制御方法において、
前記映像信号の振幅特性は、ブライト、コントラスト、ガンマ特性および液晶表示パネルに供給する複数の映像信号間の振幅比であることを特徴とする液晶表示装置の制御方法。
【００１６】
【発明の実施の形態】
以下、本発明の実施の形態をカメラ一体型ＶＴＲの実施例により詳しく説明する。なお、本発明は、装置の形に限らず、実施例の説明により裏付けられて方法の形で実施することもできる。
【００１７】
【実施例】
図１は実施例である“カメラ一体型ＶＴＲ”の概略構成を示すブロック図である。
【００１８】
同図において、１は撮像素子（光電変換素子）を有した撮像装置、２は撮像した画像を記録／再生する記録／再生装置、３は撮像した映像信号に所定の信号処理を施す映像信号処理回路、４は液晶表示パネル、５は液晶表示パネル４の裏面に配置されたバックライト、６はバックライト５の点灯動作を制御するバックライト点灯制御手段、７は機器の動作を制御するマイコン、８は２種類の映像信号振幅特性を記憶するメモリ、９は液晶表示パネル４を透過モードで使用するか反射モードで使用するかを選択するスイッチである。
【００１９】
前記構成において、表示モード選択スイッチ９が透過モードを選択時、記録時においては撮像装置１から出力された映像信号が、また再生時においては磁気テープ等の記録／再生媒体（図示せず）に記録された映像信号が記録／再生装置２を介して映像信号処理回路３に供給される。マイコン７は表示モード選択スイッチ９が透過モードを選択していることを受け、メモリ８から透過モードに適した振幅特性の設定値を読み出し映像信号処理回路３に供給する。映像信号処理回路３では供給された設定値に映像信号を設定する。また同時にマイコン７はバックライト点灯制御手段６にバックライトを点灯させるよう制御信号を供給し、バックライト５を点灯させる。
【００２０】
また、表示モード選択スイッチ９が反射モードを選択時、記録時においては撮像装置１から出力された映像信号が、また再生時においては磁気テープ等の記録／再生媒体に記録された映像信号が記録／再生装置２を介して映像信号処理回路３に供給される。マイコン７は表示モード選択スイッチ９が反射モードを選択していることを受け、メモリ８から反射モードに適した振幅特性の設定値を読み出し映像信号処理回路３に供給する。映像信号処理回路３では供給された設定値に映像信号を設定する。また同時にマイコン７はバックライト点灯制御手段６にバックライトを消灯させるよう制御信号を供給し、バックライト５を消灯させる。
【００２１】
図２は本実施例の動作を示すフローチャートである。このフローチャートに示す制御処理は、前述のカメラ一体型ＶＴＲ本体の制御部であるマイコン７によりあらかじめ記憶されたプログラムに従って実行されるものである。
【００２２】
まず、カメラ一体型ＶＴＲ本体の電源を入れる（ステップ１、図ではＳ１と表記する、以下同様）。次に、マイコン７がメモリ８から反射モード用の設定値を読み出し映像信号処理回路３に供給し、映像信号処理回路３では撮像装置または記録／再生装置２から供給された映像信号を反射モードに適した設定値に設定する（ステップ２）。ステップ３にて、表示モード選択スイッチ９が反射モードを選択したときは、そのまま反射モードの画質で表示を行う。ステップ３にて表示モード選択スイッチ９が透過モードを選択したときには、マイコン７がメモリ８から透過モード用の設定値を読み出し映像信号処理回路３に供給し、映像信号処理回路３では撮像装置または記録／再生装置２から供給された映像信号を透過モードに適した設定値に設定する（ステップ４）。さらにマイコン７はバックライト点灯制御手段６を制御しバックライト５を点灯させる（ステップ５）。
【００２３】
図３は本実施例で使用する透過反射兼用型液晶パネルの一例の構造図である。同図において１０は蛍光管、１１は偏光板、１２は透明電極と反射電極からなるＴＦＴ、１３はカラーフィルタ、１４は偏光板、１５は導光板、１６は液晶である。
【００２４】
前述の構成において本透過反射兼用型液晶パネルを透過モードで使用時、蛍光管１０で発光した白色光が導光板１５で面状に拡散される。拡散された光が偏光板１１とＴＦＴ１２の透明電極部分を通過する。ＴＦＴ１２とカラーフィルタ１３の間にある液晶１６では印加された電圧に応じて光をらせん状に回転させる。液晶１６を通過した光はカラーフィルタ１３を介して偏光板１４を通過し画像として使用者に認識させる。
【００２５】
一方、本透過反射兼用型液晶パネルを反射モードで使用時蛍光管１０は消灯しており、外光が偏光板１４，カラーフィルタ１３を通過しＴＦＴ１２の反射電極部で反射し、再度カラーフィルタ１３、偏光板１４を通過し使用者に画像として認識させる。
【００２６】
透過モードは周囲の明るさが暗いときにも鮮やかな表示ができるという利点がある一方、光源の点灯に多くの電力を必要とするという欠点がある。また外光が明るいときには表示画が黒くつぶれてしまい見づらい。
【００２７】
使用時の外光が十分に明るいときには反射モードにすれば光源を消灯しているため消費電力は少ない。ただし表示画像の鮮やかさは一般に透過モードより劣る。
【００２８】
このように透過モードと反射モードとでは光源および画像の表示方法が異なるために表示画像の画質が大きく異なる。しかし、本実施例によれば予め液晶表示パネルに供給する映像信号の振幅特性に差を持たせることによって、これら両モードで最適な表示画像を得ることが可能である。
【００２９】
映像信号の振幅特性として、ブライト、コントラスト、ガンマ特性および液晶表示パネルに供給する複数の映像信号間の振幅比がある。たとえば、各モードにおける画質の設定値として、たとえば反射モードにおいては黄色みを抑えたホワイトバランスにする、黒つぶれを抑えたガンマ特性にする等が考えられるが、具体的には使用するデバイスに合わせて事前に設定すればよい。
【００３０】
このように本実施例によれば、液晶パネル４と、該液晶パネル４の背面に配置されたバックライト５と、該バックライト５の点灯／消灯を制御するバックライト点灯制御手段６と、液晶パネル４に供給する映像信号の振幅特性を予め決めた設定値に設定する映像信号処理回路３と、前記設定値を複数記憶するメモリ８と、該メモリ８に記憶された複数の設定値から任意の設定値を選択し前記映像信号処理回路３に供給するマイコン７と、液晶の反射モード／透過モードを選択する表示モード選択スイッチ９によって構成された液晶表示装置において、表示モード選択スイッチ９が透過モードを選択時はバックライト５を点灯し透過モードに適した振幅特性の映像信号を液晶表示パネル４に供給し、また、表示モード選択スイッチ９が反射モードを選択時にはバックライト５を消灯し反射モードに適した振幅特性の映像信号を液晶表示パネル４に供給するが故に、透過／反射各モードにおいて最適な表示画像を得ることが可能となる。
【００３１】
なお、本実施例においては液晶表示パネルに透過反射兼用型液晶パネルを用いたが、通常の透過型液晶表示パネルを用いてバックライト部分で外光を反射させる方式の反射透過兼用型液晶表示ユニットに本方式を用いても同様の効果があることは明らかである。
【００３２】
【発明の効果】
以上説明したように、本発明によれば、透過反射兼用型液晶表示装置においてバックライトの点灯／消灯に応じて液晶表示パネルに供給する映像信号の特性を切り替えているが故に、透過／反射各モードにおいて最適な表示画像を得ることが可能である。
【図面の簡単な説明】
【図１】実施例の構成を示すブロック図
【図２】実施例の動作を示すフローチャート
【図３】実施例で用いる液晶パネルの構造図
【符号の説明】
３  映像信号処理回路
４  液晶表示パネル
５  バックライト
６  バックライト点灯制御手段
７  マイコン
８  メモリ
９  表示モード選択スイッチ
【図１】
2004191541.tif 000003
【図２】
2004191541.tif 000004
【図３】
2004191541.tif 000005